(57)【特許請求の範囲】
【請求項１】
車輪の付いた台車に設置した保育器の所要位置に、ポールを介して新生児のモニタディスプレイが取り付けられるモニタアタッチメントであって、
使用されるポールは、その側面に長さ方向に沿って少なくとも一条の溝状の凹部が形成されており、
前記モニタディスプレイ側に取り付けられる両端部に脚部を有するコ字状の連結部材と、前記ポール側に固定される円筒状で外周面を三段階の円筒部に形成されたベース部と、二段目の円筒部に回転自在に嵌合され舌状に張り出した連結部が設けられた可動部材と、三段目に嵌合され前記可動部材の抜け出しを防止する押え部材とからなり、
前記連結部材の脚部と前記可動部材の舌状に張り出した連結部とが回動可能に連結され、
前記ベース部は、前記ポールの溝状の凹部に嵌まって回転を阻止する突出部を内周面に設けると共に、ポールに固定するための摘み部材が取り付けられ、
前記モニタディスプレイは上下方向の傾斜角度と左右方向の回転とが行えるようにしたこと
を特徴とする保育器用のモニタディスプレイのアタッチメント。
【請求項２】
前記連結部材の脚部と前記可動部材の舌状に張り出した連結部とが回動可能な連結は、
ボルトとナットとによって連結されていること
を特徴とする請求項１に記載のモニタディスプレイのアタッチメント。
【請求項３】
前記回動可能な連結に係る脚部と連結部との間に摩擦部材が配設されていること
を特徴とする請求項２に記載のモニタディスプレイのアタッチメント。
【発明の詳細な説明】
【技術分野】
【０００１】
本発明は、院内において新生児を収容し所要のカートに乗せて育児室まで搬送し、育児室において、看護士が複数日面倒を見るために使用するための保育器であり、収用室の状態や新生児の状態をモニタリングして表示する保育器用のモニタディスプレイをポールに取り付けるためのアタッチメントに関するものである。
【背景技術】
【０００２】
一般的に表示部またはコントロールパネルを備えた、新生児または乳幼児用保育器は複数のものが公知になっている。
第１の公知技術としては、新生児を収容するベッド部と、該ベッド部を覆い複数の手入窓（処置窓）を有する保護カバーと、該保護カバー内の温度や湿度などを管理するためのコントロールパネルを備えた保育器であって、前記保護カバーは、構成成分として導電性酸化亜鉛を含有する透明なガラスで形成され、可視光線のみを透過し、放射線や電磁波などを遮断する保育器である（特許文献１参照）。
【０００３】
この第１の公知技術に係る保育器においては、図面の記載からして、コントロールパネルは、保護カバーが被せられたベッド部の前面側の側面に取り付けられており、プッシュボタンらしき複数の四角形と表示部らしき長方形とが記載されているが、保護カバー内の温度や湿度などを管理するとの説明以外に、機能的な面については記載されていない。
【０００４】
また、第２の公知技術は、新生児収納室の側面に設けられている処置窓と、この処置窓を閉鎖および開放する処置扉と、架台には各支柱内を摺動する支柱を有する左右一対の支柱を設け、前記摺動する支柱に取り付けられて下降および上昇することによって前記新生児収容室の天面を閉鎖および開放する赤外線治療器を備えた天蓋と、摺動しない一方の支柱に取り付けられた操作・表示パネルと、赤外線加熱器が部屋の側面に衝突するのを防止する保護具とを備えた保育器であって、この操作・表示パネルに光線治療器オン／オフスイッチ、照明灯オン／オフスイッチ、照度設定スイッチ、照射範囲設定スイッチが設けられた保育器である（特許文献２参照）。
【０００５】
この第２の公知技術に係る保育器においては、支柱に取り付けられた操作・表示パネルは、閉鎖型保育器の状態から開放型保育器の状態へ保育器の状態が変更されると、照度計から出力される分光照射照度が低下するので、その場合は、所望の分光照射照度に、照度計から出力される分光照射照度が等しくなるまで、操作・表示パネルが光線治療光源の分光放射輝度を自動的に高める、というものである。
【先行技術文献】
【特許文献】
【０００６】
【特許文献１】特開２００２−１５３５２３号公報
【特許文献２】特開２０１０−２０７４３８号公報
【発明の開示】
【発明が解決しようとする課題】
【０００７】
前記第１の公知技術に係る保育器においては、コントロールパネルは、保護カバーが被せられたベッド部の前面側の側面における低い位置に定着状態に取り付けられており、コントロールパネルを操作する際には、医師や看護士が身を屈めて表示部を見ながら操作しなければならず、操作性が悪いという問題点を有している。
【０００８】
また、前記第２の公知技術に係る保育器においては、操作・表示パネルは支柱に直に取り付けられているが、その取り付け位置が天蓋よりも下側で比較的低い位置にあるので、やはり医師や看護士が身を屈めて表示部を見ながらの操作が厄介であり、操作性が悪いという問題点を有しでいる。
【０００９】
いずれにしても、前記第１〜２の公知技術に係る保育器においては、操作する医師や看護士の身長や見易いように、パネルの方向を変えたり高さや表示部の角度を変更することができない構成であり、いずれも身を屈めて表示部を見ながら操作しなければならず、多数の保育器について、その都度、順次個々に身を屈めて表示部を確認しながら操作することによって、医師や看護士といえども疲れが生じて、誤認や誤操作をするという危険性がある。
【００１０】
従って、この種の新生児の保育器においては、操作する医師や看護士の身長や見易い方向にすること、つまり、パネルの方向を変えたり高さや表示部の角度を簡単には変更することができるようにすることによって、適正な状態で表示部を見ながら操作できるようにして、誤認による操作ミスを解消させることに解決課題がある。
【課題を解決するための手段】
【００１１】
本発明は、前記課題を解決する具体的手段として、車輪の付いた台車に設置した保育器の所要位置に、ポールを介して新生児のモニタディスプレイが取り付けられるモニタアタッチメントであって、使用されるポールは、その側面に長さ方向に沿って少なくとも一条の溝状の凹部が形成されており、前記モニタディスプレイ側に取り付けられる両端部に脚部を有するコ字状の連結部材と、前記ポール側に固定される円筒状で外周面を三段階の円筒部に形成されたベース部と、二段目の円筒部に回転自在に嵌合され舌状に張り出した連結部が設けられた可動部材と、三段目に嵌合され前記可動部材の抜け出しを防止する押え部材とからなり、前記連結部材の脚部と前記可動部材の舌状に張り出した連結部とが回動可能に連結され、前記ベース部は、前記ポールの溝状の凹部に嵌まって回転を阻止する突出部を内周面に設けると共に、ポールに固定するための摘み部材が取り付けられ、前記モニタディスプレイは上下方向の傾斜角度と左右方向の回転とが行えるようにしたことを特徴とする保育器用のモニタディスプレイのアタッチメントを提供するものである。
【００１２】
本発明に係る保育器用のモニタディスプレイのアタッチメントにおいて、前記連結部材の脚部と前記可動部材の舌状に張り出した連結部とが回動可能な連結は、ボルトとナットとによって連結されていること；および前記回動可能な連結に係る脚部と連結部との間に摩擦部材が配設されていること、を付加的な要件として含むものである。
【発明の効果】
【００１３】
本発明に係る保育器用のモニタディスプレイのアタッチメントは、部品数を少なくしてモニタディスプレイを、操作する人の身長に合わせて見易いように上下方向の角度変化および左右方向の向きを自由に変えることができるばかりでなく、モニタディスプレイの表示をタッチパネル式にして、簡単に変更できると共に、表示面をタッチ操作をしても、角度変更がされないようにし、常に適正な状態で表示部を見ながら操作できるようにして、誤認による操作ミスを解消させることができるという優れた効果を奏する。
【００１４】
さらに、本発明に係るモニタディスプレイのアタッチメントは、緊急搬送用の保育器にも使用できるのであり、搬送中においても、常に患者の状態を示すモニターを見て、適正な処置ができるという優れた効果も奏する。
【図面の簡単な説明】
【００１５】
【図１】本発明の好ましい実施の形態に係るモニタディスプレイを取り付けた保育器の全体を示す斜視図である。
【図２】同実施の形態に係る保育器で、モニタディスプレイが取り付けられるポールを保育器に取り付ける状況を示した、要部のみの拡大斜視図である。
【図３】同実施の形態に係る保育器に取り付けられたモニタディスプレイのみの上面を示した平面図である。
【図４】図３のＡ−Ａ線に沿う断面図である。
【図５】図３のＢ−Ｂ線に沿う断面図である。
【図６】同実施の形態に係る保育器にモニタディスプレイを取り付けるために、モニタディスプレイ側に取り付けられる連結用のアタッチメントを示した斜視図である。
【図７】同実施の形態に係る保育器にモニタディスプレイを取り付けるために、ポール側に取り付けられる複数のアタッチメントを分離して示した斜視図である。
【発明を実施するための形態】
【００１６】
本発明を図示の実施の形態に基づいて説明する。まず、図１〜図２において、本発明に係るアタッチメントによってモニタディスプレイが取り付けれる保育器用は、例えば、本願発明と同一出願人に係る先願発明の特願２０１５−２１８２９９号に記載した保育器である。この先願発明の保育器について概略（要部）を説明すると、保育器１は、金属製の台車２の上部に保育室３が形成されたものであり、台車２の下部には、複数の車輪４が取り付けられて搬送が可能であり、少なくとも前面側には開閉できる一対の扉５が設けられ、周囲は壁部（壁板）６で囲われて独立した内部空間が形成され、該内部空間は、図示していないが複数の棚板で適宜に仕切られ、例えば、新生児の処置に必要な消毒薬等の薬品類や、ガーゼまたはタオル等の必需品が納められる。
【００１７】
台車２の上部には保育器基台７が取り付けられ、該保育器基台７の上部に保育室３が形成される。この保育室３は、保育器基台７上に設置した臥床台８に新生児を寝かせるベッド部（図示せず）が敷設され、少なくともベッド部全体を覆うように、透明な樹脂材で形成された前側と後側の長尺の側板９、１０と、両サイドの短尺の側板１１、１２と、天井フード１３とを組み合わせて形成される。少なくとも前側の側板９には、両手を保育室３内に挿入して施術ができるように一対の手入窓が設けられ、該各手入窓は、通常は軸受け部１４を介して開閉自在に取り付けられた扉１５が夫々設けられ、該各扉１５はラッチ機構などの係止部１６により係止させて閉塞されており、必要が生じた時にそれぞれ係止部１６を外して扉１５を開いて両手を保育室３内に挿入することができるのである。なお、臥床台８は、ベッド部と一緒に持ち上げることができるように両端部に取手部１７が取り付けてある。
【００１８】
また、前記前後の側板９、１０と、両サイドの側板１１、１２は、各隣接端部において複数のラッチ機構１８、１９によって着脱可能に連結・組み合わされるように構成され、前記前後の側板９、１０は、保育基台７側に設けた複数の回動可能なヒンジ部２０によって、保育基台７に着脱可能に取り付けられるのである。なお、先願発明の保育器１については、先願発明の明細書および図面に記載された構成をそのまま援用できますので、上記のように保育器としての概略（要部のみ）を説明して、詳細は省略する。
【００１９】
上記説明の構成を有する保育器１に対して、図１に示したように、本発明に係る保育器用のモニタディスプレイ２１を所要のポール２２を介して取り付けて使用するのである。この場合に、ポール２２に対するモニタディスプレイ２１の取り付け構造、即ち、モニタアタッチメントの構造に特徴が存するのである。なお、ポール２２は、１つの側面、好ましくは、対称位置の２つの側面に、長さ方向に沿って溝状の凹部２３が形成されたものを使用する。
そこで、図２に示したように、保育器１を正面側から見て、例えば、右側または左側の所要位置に、好ましくは、保育器基台７にポール２２の下端部を支持させる支持部材２４を取り付け、該支持部材２４は、所要の高さを有すると共に、ポール２２が挿着される孔２５が設けられ、該孔２５は、ポール２２の断面形状に相当するように孔２５の内側に突出部２６を設けてあり、ポール２２を挿着したときに、突出部２６が溝状の凹部２３に嵌まってポール２２が回転せず安定した起立状態を維持するのである。なお、ポール２２の径は、概ね、２５±１ｍｍ程度で、長さは、８５０±１００ｍｍ程度であって、使用態様によってはさらに長いものが使用可能である。
【００２０】
このように保育器１に取り付けられたポール２２の上端近傍に、図３〜図５に示したように、モニタディスプレイ２１がモニタアタッチメント２７を介して取り付けられる。
モニタディスプレイ２１は、タッチパネル式で保育室３における温度や湿度およびその他の必要な情報をリアルタイムで表示すると共に、それら情報の設定および変更を画面タッチ式で行うことができる機能を有するものである。
【００２１】
そこで、モニタアタッチメント２７については、図６および図７に示したように、複数のアタッチメント（部品）から構成されているのである。まず、図６に示したアタッチメントは、モニタディスプレイ２１の裏面側中央部に取り付けられるものであって、長方形の金属プレートをコ字状に折り曲げた連結部材２８であり、折り曲げた両側が所要長さの連結用の脚部２９となるのである。そして、該脚部２９の端部側を円弧状に形成すると共に、端部寄りに連結用のボルト挿通孔３０が形成されている。なお、符号３１は、アタッチメントとして組み込まれた後に、脚部２９に係合させて取り付けるカバーであり、係止用の突起３１ａが設けられている。
【００２２】
次に、図７に示したアタッチメントは、ポール２２側に取り付けられるものであって、円筒状に形成された固定用のベース部材３２と、リング状に形成された連結用の可動部材３３と、該可動部材３３の回転を許容しながら、抜け出しを抑制するリング状に形成された押え部材３４とからなるものである。
前記ベース部材３２は、円筒状に形成され内周面の上下方向に、ポール２２の溝２３に嵌まる凸状部３５が形成されると共に、該凸状部３５と対向する側の位置に、ベース部材３２をポール２２の所定位置に固定するための摘みネジ３６を螺合するためのネジ穴３７が形成される。さらに、上方側の筒状部の外周面は、三段階に渡って細く形成される。つまり、ベース部材３２に対して、前記可動部材３３と押え部材３４とを順次嵌合させ、外径は同じで積層状態に形成するためである。
【００２３】
そのために、二段目の筒状部３８は、可動部材３３の高さ方向の厚みよりも僅かに（０．５ｍｍ未満）上方位置まで形成し、三段目の筒状部３９は、二段目の筒状部３８の頂部からベース部材３２の頂部まで形成する。そして、可動部材３３は、リング状の一部に舌状に張出した連結部４０が形成され、その連結部４０の先端部分は下方に所要の厚みを増して一体的に形成され、その増した厚みは、二段目の筒状部３８の形成位置より下方のベース部材３２の厚みに略一致するものであり、その厚みを増した部分の内側面はベース部材３２に接触しないように円弧状に形成すると共に、厚みを増した部分も含めて連結部４０にボルト挿通孔４１を設けてある。なお、可動部材３３のリング状の内径は、二段目の筒状部３８の外径よりも僅かに大きく（０．２ｍｍ未満）形成してあり、自由に回転ができるように構成してある。
【００２４】
また、押え部材３４については、リング状の内径を三段目の筒状部３９の外径と略等しく又は僅かに大きく（０．１ｍｍ未満）形成してあると共に、少なくとも１個のビス孔４２を設けてある。そして、前記可動部材３３を二段目の筒状部３８に回転自在に挿着した後に、押え部材３４を三段目の筒状部３９に挿着し、前記可動部材３３が抜け出さないように、ビス孔４２に対して適宜の押さえビスをねじ込んで三段目の筒状部３９に固定して組み立てたものである。また、前記したように、モニタディスプレイ２１の裏面側に取り付けられ、両端部に脚部２９を有する連結部材２８と、ポール２２側に取り付けられ、ベース部材３２に対して、回転自在の可動部材３３と押え部材３４とを組み立てた構成のものとが、要するに、モニタアタッチメント２７となるのである。
【００２５】
そこで、このモニタアタッチメント２７の組立について説明すると、予めモニタディスプレイ２１の裏面側に脚部２９を外側にして一体的に取り付けられた連結部材２８の脚部２９を、可動部材３３の舌状に張出した連結部４０の両側に位置させると共に、両者間に、例えば、硬質ゴムや弾性のあるワッシャー等の所要の摩擦部材４３を介在させ、ボルト挿通孔３０、４１にボルト４４を挿通して他端にナット４５を螺着し、該ナット４５を適宜の強さに締め付けて接触面がある程度の外力で滑動可能に連結させる。このようにモニタディスプレイ２１を連結させたモニタアタッチメント２７を、保育器１の側面に取り付けられたポール２２に対して、その上端部からベース部材３２の凸部３５がポール２２の溝状の凹部２３に嵌まるようにして装着し、所要の高さに位置付けしたところで、摘みネジ３６をねじ込んでポール２２に固定する。なお、モニタアタッチメント２７を取り付けた後に、ポール２２の上端面には，キャップ４６が取り付けられる。
【００２６】
このように保育器１に取り付けたポール２２に対して、モニタアタッチメント２７を介して取り付けられたモニタディスプレイ２１は、見る人の身長に合わせて、その表示面を上下方向の傾斜角度を変更したい時には、表示面を持って上下方向の傾斜角度を変えることができ、しかも、表示面をタッチして表示内容を変える操作をしても、摩擦部材４３の存在によって、その角度が変わることがないのである。また、見る方向によって表示面をポール２２に対して回転（水平状態で左右方向）させて変えたい時には、可動部材３３の存在によって簡単に変えることができるのである。
【００２７】
いずれにしても、本発明に係るモニタアタッチメント２７は、保育器１に設置されるモニタディスプレイ２１の表示面を、予め設置したポール２２に対して、上下方向の傾斜角度と左右方向の回転角度とを簡単に変えることができるものであって、しかも、可動部材３３は円筒状に形成された固定用のベース部材３２に取り付けられているので、ポール２２の中心軸を回転軸として回転できるし、モニタディスプレイ２１の上下方向の傾斜角度は、可動部材３３に対して連結部材２８の脚部２９によって変更できるので、余分な間接部材等は不要であり、ポール２２との間隔を短くできるのである。その結果として、ポール２２に掛かるモーメントを軽減することができ、コストや装置重量の増大を抑制できる。
【産業上の利用可能性】
【００２８】
本発明に係るモニタアタッチメント２７は、搬送のための車輪４の付いた台車２に設置した保育器１の所要位置に、ポール２２を介して新生児のモニタディスプレイ２１が取り付けられるモニタアタッチメント２７であって、使用されるポール２２は、その側面に長さ方向に沿って少なくとも一条の溝状の凹部２３が形成されており、前記モニタディスプレイ２１側に取り付けられる両端部に脚部２９を有するコ字状の連結部材２８と、前記ポール２２側に固定される円筒状で外周面を三段階の円筒部に形成されたベース部３２と、二段目の円筒部３８に回転自在に嵌合され舌状に張り出した連結部４０が設けられた可動部材３３と、三段目に嵌合され前記可動部材３３の抜け出しを防止する押え部材３４とからなり、前記連結部材２８の脚部２９と前記可動部材３３の舌状に張り出した連結部４０とが回動可能に連結され、前記ベース部３２は、前記ポールの溝状の凹部２３に嵌まって回転を阻止する突出部３５を内周面に設けると共に、ポール２２に固定するための摘み部材３６が取り付けられ、前記モニタディスプレイ２１は上下方向の傾斜角度と左右方向の回転とが行えるようにしたことを特徴とする保育器用のモニタディスプレイのアタッチメントであり、前記実施の形態に係る保育器１に限らず、他の搬送用保育器用としても広く利用できるのである。
【符号の説明】
【００２９】
１  保育器
２  台車
３  保育室
４  車輪
５  扉
６  壁部（壁板）
７  保育器基台
８  臥床台
９、１０  長尺の側板
１１、１２  短尺の側板
１３  天井フード
１４  軸受け部
１５  扉
１６  係止部
１７  取手部
１８、１９  ラッチ機構
２０  ヒンジ部
２１  モニタディスプレイ
２２  ポール
２３  溝状の凹部
２４  支持部材
２５  孔
２６  突出部
２７  モニタアタッチメント
２８  連結部材
２９  脚部
３０  ボルト挿通孔
３１  カバー
３１ａ  係止用の突起
３２  ベース部材
３３  可動部材
３４  押え部材
３５  凸状部
３６  摘みネジ
３７  ネジ穴
３８  二段目の筒状部
３９  三段目の筒状部
４０  連結部
４１  ボルト挿通孔
４２  ビス孔
４３  摩擦部材
４４  ボルト
４５  ナット
４６  キャップ
【要約】      （修正有）【課題】保育器のモニタ用表示部において、表示部の方向を変えたり高さや角度を簡単に変更することができるようにすることによって、誤認による操作ミスを解消させる。【解決手段】保育器１を載置または支持し、車輪４の付いた台車２に、ポール２２を介して新生児のモニタディスプレイ２１が取り付けられるモニタアタッチメントであって、ポールは、その側面に長さ方向に沿って溝状の凹部が形成されており、モニタディスプレイ側に取り付けられる両端部に脚部を有するコ字状の連結部材と、ポール側に固定される円筒状で外周面を三段階の円筒部に形成されたベース部と、二段目の円筒部に回転自在に嵌合され舌状に張り出した連結部が設けられた可動部材と、三段目に嵌合され可動部材の抜け出しを防止する押え部材とからなり、モニタディスプレイは上下方向の傾斜角度と左右方向の回転とが行えるように構成される。【選択図】図１【図１】
0006038363.tif 000002
【図２】
0006038363.tif 000003
【図３】
0006038363.tif 000004
【図４】
0006038363.tif 000005
【図５】
0006038363.tif 000006
【図６】
0006038363.tif 000007
【図７】
0006038363.tif 000008